(57)【要約】【課題】  刈払機等、ハンディタイプの農用作業機の作業負担を軽減する吊支バンドを提供する。【解決手段】  ハンディタイプの作業機を身体に吊支する吊支バンドであり、この吊支バンドが、両肩に前後に通される肩紐の両胸前部分から延出した弾性紐をＶ字形に作業機に係止したものであることを特徴とする吊支バンド。【選択図】  図１
2005058064.tif 000002
【特許請求の範囲】
【請求項１】
ハンディタイプの作業機を身体に吊支する吊支バンドであり、この吊支バンドが、両肩に掛けられる肩紐の両胸前部分から延出した弾性紐をＶ字形に作業機に係止したものであることを特徴とする吊支バンド。
【請求項２】
弾性紐の弾性力が、ほぼ作業機の重量を担うものである請求項１の吊支バンド。
【請求項３】
肩紐が、背中にあてがわれる硬い背板の上部と下部の左右二カ所に掛け渡されるものである請求項１又は２の吊支バンド。
【請求項４】
背板が、背中に対してやや反り返ったものである請求項３の吊支バンド。
【請求項５】
背板が、樹脂又は布板の中に金属製の芯板が挿入されるものである請求項３又は４の吊支バンド。
【請求項６】
肩紐における弾性紐を取り付ける位置及び弾性紐の長さが調整可能なものである請求項１〜５いずれかの吊支バンド。
【発明の詳細な説明】
【技術分野】
【０００１】
本発明は、刈払機等、ハンディータイプの作業機を身体に吊り下げる吊支バンドに関するものである。
【背景技術】
【０００２】
刈払機等、ハンディタイプの農用機械（以下、作業機という。）では、作業機を手で抱えて振り回しながら作業をする。この作業のときの負担を軽減するため、則ち、作業機の重量を担って振り回しを容易にするため、身体に付けた吊支バンド（以下、単にバンドという。）で作業機を吊支している。このバンドには、種々のものがあり、もっとも多く使用されているのが、バンドを片方の肩から斜めに掛けるカバン方式である。しかし、これによるものは、作業機を吊り下げる吊り紐とバンドとの連結点が腰の一側であるから、吊り紐が身体の側面に位置し、力が入らない。又、力は腰の一点に集中するから、身体への負担が大きい。
【０００３】
このため、バンドを両肩に掛けるランドセル方式のものがあり、これにおいて、胸又は背中に両バンドを結節する結節具を設けて両バンドをこの部分に寄せて身体にフィットさせている。しかし、これにおいても、吊り紐との連結点は、腰の一点であり、ここに力が集中するのは変わらない。又、物を安定して吊り下げるには、腰の位置では低すぎるということもある。更に、身体への負担が大きい原因の一つには、吊り紐が剛体の紐であることにも起因している。
【０００４】
そこで、吊り紐にゴム等の弾性紐を使用したものもある。則ち、上記したカバン方式におけるバンドで、肩当ての両端から弾性紐を出したものである。しかし、このものも、弾性紐の弾性力で作業機の重量を弾性支持できるとはいうものの、バンドが身体の側面に位置すること、吊り下げ点が腰の一側であって低いことは変わらない。
【発明の開示】
【発明が解決しようとする課題】
【０００５】
本発明はこのような課題を解決するものであり、要するに、作業機を吊支する弾性紐を両側の肩紐の胸前部分からＶ字形に出すことで、高い位置での二点支持を可能にして荷重に安定して耐えられるようにし、身体への負担を軽減するとともに、作業姿勢及び作業機の位置の調整に対する自由度を高めたものである。
【課題を解決するための手段】
【０００６】
以上の課題の下、本発明は、請求項１に記載した、ハンディタイプの作業機を身体に吊支する吊支バンドであり、この吊支バンドが、両肩に前後に通される肩紐の両胸前部分から延出した弾性紐をＶ字形に作業機に係止したものであることを特徴とする吊支バンドを提供したものである。これにおいて、請求項２に記載の、弾性紐の弾性力が、ほぼ作業機の重量を担うものであるのが好ましい。
【発明の効果】
【０００７】
本発明によると、両肩にランドセル方式で掛けられる肩紐の両胸前部分から弾性紐がＶ字形に延びて作業機に係止するものであるから、荷重点を高い位置に設定できるとともに、二カ所に分散できる。従って、荷重に対して身体の踏ん張りがきき、負担が軽減して疲労が少ない。又、弾性紐の弾性力が、ほぼ作業機の重量を担うものにしておけば、作業機のほぼ全重量を弾性支持するものとなり、手で支える力をほとんど必要とせず、負担が軽減する。特に、傾斜面の草を刈り取るような場合、作業機の重量は身体で支えているから、シャフトをわずかに押さえるだけで作業姿勢を変更できる。
【発明を実施するための最良の形態】
【０００８】
図１は本発明の一例を示す吊支バンドの後側斜視図、図２、図３は装着状態を示す説明図、図４はこの吊支バンドによる刈払機の使用状態を示す説明図であるが、この吊支バンドは、背中に負う背板１の上部と下部の左右二カ所に前方に亘って掛け渡される肩紐２と、それぞれの肩紐２の途中に止め付けられる二本の弾性紐３とからなるものである。
【０００９】
この場合の背板１は、布や剛性樹脂で板状に形成されており、首の下から腰の辺りまで背中のほぼ全面にあてがわれる。このとき、背板１が背中に対してむしろ反り返るように、背板１は背中に対してやや後方に湾曲させられている。この形状は不変的であることが、ずり上がったりしないで好ましいから、背板１は硬質の部材で構成される。
【００１０】
具体的には、硬質の樹脂板等が考えられるが、重量が重くなる場合には、布製等のものを用い、これに背中に対してやや後方に湾曲させて成形した金属製（アルミ等が軽量で好ましい）の芯板１７を上又は下から挿入してもよい（図１）。尚、この場合の芯板１７は、一枚物であっても、複数に分割されたものであってもよいが（本例では２個）、挿入されたときには、背板１に対してボルト２０等で固定されるのが好ましい。
【００１１】
そして、背板１の上部と下部の前面（身体に当たる面）にはスポンジ等のクッション材４を貼設しておく。この場合、上部のクッション材４は幅（高さ）が広く、下部のクッション材４は幅の狭いものが好ましい。このクッション材４の存在により、硬い背板１の背中への当たりが軟らかくなるとともに、他の部分は身体から離れることになり、汗等でむせるのを防ぐ。
【００１２】
肩紐２は、布製等の帯状のもので、背板１の上部と下部の左右二カ所にそれぞれの上端と下端とが止め付けられている。従って、肩紐２を両肩にかけて背板１を負うと、ランドセルを負ったようになるが、このとき、肩紐２の間隔はできるだけ広い方が好ましい。これにおいて、肩紐２は長さが調整できるものが体格の違いに対応できて好ましい。そこで、肩紐２を上部部分２ａと下部部分２ｂとに分け、これをバックル５で繋いでいる。更に、肩紐２の内側にもスポンジ等のクッション材６を設けて身体への当たりが軟らかいものにしている。
【００１３】
肩紐２の途中の前面には後述する弾性紐３を連結するためのリング７を設けている。このリング７は、位置を変えることができたり、複数設けたりして連結個所を変更できるようにするのが体格の違いに対応できて好ましい。この他、背板１の下部には、背板１がずり上がるのを防ぐために、腰に回す腰バンド８が長さ調整可能なバックル９付きで設けられている。
【００１４】
弾性紐３は、文字通りゴム等の弾性体からなる紐であり、その上端を肩紐２に連結し、下端を作業機１０に連結するものである。このときの連結を容易にするために、上下両端にはフック１１を取り付けている。本例の弾性紐３は、ゴム紐を二本折り返したものであり、その途中にバックル１２を設けて長さが調整できるようにしてある。これも体格に合わせるためであるが、作業地形に応じて長さを調整するのにも利用される。
【００１５】
本例の作業機１０は、ハンディタイプのエンジン１８直結型の刈払機を例示しており、その操作杆１３の後部寄りに吊支バンドに連結する係合金具１４が設けられている。そこで、上端を肩紐２に連結した弾性紐３の下端のフック１１をこの係合金具１４に連結すると、弾性紐３はＶ字形になり、その弾性力で刈払機１０を吊支する。このときの弾性紐３は、操作杆１３の後部をやや押さえて前部を少し上げたとき、先端の刈刃１５が接地しない状態でその全重量を弾性支持できる強さと長さのものが好ましい。
【００１６】
次に、以上の吊支バンドを用いて刈払機１０による草刈り作業について説明する。刈払機１０は、周知のようにその操作杆１３を両手で持ち（本例のものは、前方の手は係合金具１４の前方に設けられているループハンドル１６を掴む）、これを左右に振り回しながら刈刃１５で草を刈り取って行く。この場合において、草刈りする地形は平地の場合もあれば傾斜面のこともあり、更に、前進しながら草刈りすることもあれば、後進しながら草刈りすることもあるのは周知のとおりである。
【００１７】
本発明では、この刈払機１０を両肩にランドセル方式で掛けた肩紐２から弾性紐３をＶ字形に出してその弾性力で吊支したものである。このため、荷重点が両胸前になり、高い位置に設定できるとともに、二カ所に分散でき、安定した吊支ができて身体への負担が少ない。特に、中山間部では傾斜地が多く、又、作業者も高齢者が多いから、この効果は非常に大きい。
【実施例】
【００１８】
この吊支バンドを用いた刈払機によって山間地水田の畦畔の草刈り作業をしてみた。そして、手持ち方式の刈払機による作業と比較してみた（このような地の畦畔は、傾斜が４０〜５０°もあるような個所があり、このような急傾斜地では、従来のカバン方式の吊支バンドでは身体の自由が効かないため、作業機にループハンドルを取り付け、これを手持ち方式で作業している）。
【００１９】
図５はその結果を示すものであるが、縦軸に心拍数増加率をとり、横軸に作業能率をとって作業負担の軽減度を調べてみた。結果は、すべての作業方法（作業姿勢）において、本発明の吊支バンドによるものの方が心拍数増加率も低く、作業能率も高かった。この点で、作業負担の軽減度は大である。
【産業上の利用可能性】
【００２０】
この吊支バンドの用途は、刈払機に限らずヘッジトリマーやチェンソー等、あらゆるハンディータイプの作業機に用いて好適である。更に、作業機に限らず、身体に吊り下げることがある散布桶や旅行カバン或いはクーラーボックスにも適用できる。
【図面の簡単な説明】
【００２１】
【図１】本発明の一例を示す吊支バンドの後方斜視図である。
【図２】本発明による吊支バンドを用いて作業機を吊支した状態を示す正面図である。
【図３】本発明による吊支バンドを用いて作業機を吊支した状態を示す側面図である。
【図４】本発明による吊支バンドを用いて作業機による作業状態を示す前方斜視図である。
【図５】本発明の吊支バンドによる刈払機の作業と手持ち式による作業とのテスト結果を示す比較図である。
【符号の説明】
【００２２】
１      背板
２      肩紐
３      弾性紐
１７    芯板
【図１】
2005058064.tif 000003
【図２】
2005058064.tif 000004
【図３】
2005058064.tif 000005
【図４】
2005058064.tif 000006
【図５】
2005058064.tif 000007